(57)【要約】【課題】簡単な操作で、利用者により描画したものが隠れることなく、描画しながら説明したり、描画する過程を表示したりすることができる入力表示装置、入力表示方法および入力表示プログラムを提供する。【解決手段】表示部（２）と、入力検出部（４）と、検出された入力位置情報に基づき表示を行なう表示制御部（５）と、を備え、表示画面（２１）に描画入力可能な入力表示装置（１）において、表示制御部（５）は、表示画面（２１）において入力を行なう入力領域の入力基準点を特定する入力基準点特定部（５１１）と、表示画面（２１）において出力を行なう出力領域の出力基準点を特定する出力基準点特定部（５１２）と、入力基準点と出力基準点との位置の差分に応じて出力位置を特定して出力する出力位置特定部（５１３）と、を備えることを特徴とする。【選択図】図１
2019148918.tif 000002
【特許請求の範囲】
【請求項１】
描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、
前記表示制御部は、
前記表示画面において入力を受付ける入力領域の入力基準点を特定する入力基準点特定部と、
前記表示画面において出力を行なう出力領域の出力基準点を特定する出力基準点特定部と、
前記入力基準点と前記出力基準点との位置の差分に応じて、入力位置情報に基づき、出力位置を特定して出力する出力位置特定部と、
を備えることを特徴とする入力表示装置。
【請求項２】
描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、
前記表示制御部は、
前記表示画面において出力を行なう出力領域として特定する範囲を指定する出力領域特定部と、
前記出力領域に対応する領域を子画面として表示する子画面表示部と、
前記子画面を入力領域として、前記入力領域における入力位置に対応して前記出力領域における出力位置を特定する子画面対応出力位置特定部と、
を備え、
前記子画面上で入力操作を行なうときに、前記子画面上の入力位置情報に基づき、前記出力領域の前記子画面と対応する位置に前記入力操作に沿って出力するように制御することを特徴とする入力表示装置。
【請求項３】
前記表示制御部は、前記表示画面へのタッチダウンにより入力操作が開始されて、タッチアップにより入力操作が終了することを特徴とする請求項１または２に記載の入力表示装置。
【請求項４】
前記表示制御部は、入力操作が開始されたとき、入力操作が可能な状態を維持する入力モードを備えることを特徴とする請求項１または２に記載の入力表示装置。
【請求項５】
前記表示制御部は、入力操作が開始されたとき、検出された入力位置情報に基づき前記入力領域に入力の軌跡を一時的に表示することを特徴する請求項１から４のうち何れか一項に記載の入力表示装置。
【請求項６】
前記表示制御部は、前記出力領域の出力基準点を特定して入力操作が開始されたとき、前記表示画面に前記出力基準点周辺の領域を拡大して表示する拡大表示領域を表示することを特徴とする請求項１から５のうち何れか一項に記載の入力表示装置。
【請求項７】
前記表示制御部は、前記入力領域において前記入力基準点を示す特定表示を行なうことを特徴とする請求項１から６のうち何れか一項に記載の入力表示装置。
【請求項８】
前記表示制御部は、前記出力領域に出力される描画情報を、前記入力位置情報に基づく描画情報に対して特定された倍率に設定可能とすることを特徴とする請求項１から７のうち何れか一項に記載の入力表示装置。
【請求項９】
前記表示制御部は、表示中の描画線を、既に表示された描画線と異なる色で表示することを特徴とする請求項１から８のうち何れか一項に記載の入力表示装置。
【請求項１０】
前記表示制御部は、前記出力領域において前記出力基準点に出力開始位置を示すアイコンを表示することを特徴とする請求項１から９のうち何れか一項に記載の入力表示装置。
【請求項１１】
前記入力表示装置は、タッチペンを用いた描画入力が可能に構成され、
複数のタッチペンを用いる場合は、タッチペン毎に入力基準点の属性を有することを特徴とする請求項１から１０のうち何れか一項に記載の入力表示装置。
【請求項１２】
前記表示制御部は、前記出力領域を予め一又は複数設定可能とし、前記出力領域毎に出力基準点を特定可能とし、前記複数の出力領域のうち何れの出力領域において出力基準点を設定されると、前記出力基準点が特定された出力領域が選択されて当該出力領域に描画することを特徴とする請求項１から１１のうち何れか一項に記載の入力表示装置。
【請求項１３】
描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置の入力表示方法であって、
前記表示画面において入力を受付ける入力領域の入力基準点を特定し、
前記表示画面において出力を行なう出力領域の出力基準点を特定し、
前記入力基準点と前記出力基準点との位置の差分に応じて、前記入力位置情報に基づき、出力位置を特定して出力することを特徴とする入力表示方法。
【請求項１４】
描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置の入力表示方法であって、
前記表示画面において出力を行なう出力領域として特定する範囲を指定し、
前記出力領域に対応する領域を子画面として表示し、
前記子画面を入力領域として、前記入力領域における入力位置に対応して前記出力領域における出力位置を特定し、
前記子画面上で入力操作を行なうときに、前記子画面上の入力位置情報に基づき、前記出力領域の前記子画面と対応する位置に前記入力操作に沿って出力するように制御することを特徴とする入力表示方法。
【請求項１５】
描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置を動作させる入力表示プログラムであって、
コンピュータにより、
前記表示画面において入力を受付ける入力領域の入力基準点を特定する機能と、
前記表示画面において出力を行なう出力領域の出力基準点を特定する機能と、
前記入力基準点と前記出力基準点との位置の差分に応じて、前記入力位置情報に基づき、出力位置を特定して出力する機能と、
を実行させることを特徴とする入力表示プログラム。
【請求項１６】
描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置を動作させる入力表示プログラムであって、
コンピュータにより、
前記表示画面において出力を行なう出力領域として特定する範囲を指定する機能と、
前記出力領域に対応する領域を子画面として表示する機能と、
前記子画面を入力領域として、前記入力領域における入力位置に対応して前記出力領域における出力位置を特定する機能と、
前記子画面上で入力操作を行なうときに、前記子画面上の入力位置情報に基づき、前記出力領域の前記子画面と対応する位置に前記入力装置に沿って出力するように制御する機能と、
を実行させることを特徴とする入力表示プログラム。
【発明の詳細な説明】
【技術分野】
【０００１】
本発明は、入力表示装置、入力表示方法および入力表示プログラムに係り、特に、表示部と、タッチ入力検出部と、を備えて、当該表示部の表示画面に描画入力可能な入力表示装置、入力表示方法および入力表示プログラムに関する。
【背景技術】
【０００２】
従来、電子黒板などの入力表示装置は、図２３に示すように、表示画面１２１に図表や文字を表示するとともに、書き込み可能に構成されている。表示画面に線や文字を描画する際は、タッチした箇所に表示される。そのため、プレゼンテーションや学校教育の現場において、説明者が電子黒板１０１に図形や線、文字等を書き込みながら説明する際に、電子黒板１０１を見ている視聴者にとって、電子黒板１０１に向かって書き込むユーザ（説明者）Ｐの体が邪魔で、電子黒板１０１に図形や線、文字等が書き込まれる過程や内容が見え辛いという欠点がある。
【０００３】
そこで、従来技術として、例えば、表示装置において、ユーザが記入したデータを所定距離離れた位置に複製することで、ユーザによって記入したデータが隠れて見えなくなることを防止するようにした技術が提案されている（特許文献１を参照）。
【０００４】
また、その他の技術として、情報処理装置において、全画面を縮小したサブ画面上に描画したデータをオリジナル画像に反映させることで、画面上で見やすい位置に描画したデータを表示する技術が提案されている（特許文献２を参照）。
【先行技術文献】
【特許文献】
【０００５】
【特許文献１】特開２０１４−１０７８１号公報
【特許文献２】特開２００９−１２２８３７号公報
【発明の概要】
【発明が解決しようとする課題】
【０００６】
しかしながら、特許文献１や特許文献２にて提案されている技術では、記入したデータを見やすい位置に表示することができるが、説明者が描画しながら説明したり、描画する過程を表示したりすることができないという問題がある。
【０００７】
本発明は、上記従来の課題に鑑みてなされたものであり、簡単な操作で、利用者により描画したものが隠れることなく、描画しながら説明したり、描画する過程を表示したりすることができる入力表示装置、入力表示方法および入力表示プログラムを提供することを目的とする。
【課題を解決するための手段】
【０００８】
本発明は、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、前記表示制御部の構成として、前記表示画面において入力（描画入力）を受付ける入力領域の入力基準点を特定する入力基準点特定部と、前記表示画面において出力（描画出力）を行なう出力領域の出力基準点を特定する出力基準点特定部と、前記入力基準点と前記出力基準点との位置の差分に応じて、前記入力位置情報に基づき、出力位置を特定して出力する出力位置特定部と、を備えることを特徴とするものである。
【０００９】
また、本発明は、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、前記表示制御部の構成として、前記表示画面において描画を行なう出力領域として特定する範囲を指定する出力領域特定部と、前記出力領域に対応する領域を子画面として表示する子画面表示部と、前記子画面を入力領域として、前記入力領域における入力位置に対応して前記出力領域における出力位置を特定する子画面対応出力位置特定部と、を備え、前記子画面上で描画入力操作を行なうときに、前記子画面上の入力位置情報に基づき、前記出力領域の前記子画面と対応する位置に前記入力操作に沿って出力するように制御することを特徴とするものである。
【００１０】
また、本発明は、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置の入力表示方法であって、前記表示画面において描画入力を受付ける入力領域の入力基準点を特定し、前記表示画面において出力を行なう出力領域の出力基準点を特定し、前記入力基準点と前記出力基準点との位置の差分に応じて、前記入力位置情報に基づき、出力位置を特定して出力することを特徴とするものである。
【００１１】
また、本発明は、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置の入力表示方法であって、前記表示画面において出力を行なう出力領域として特定する範囲を指定し、前記出力領域に対応する領域を子画面として表示し、前記子画面を入力領域として、前記入力領域における入力位置に対応して前記出力領域における出力位置を特定し、前記子画面上で描画入力操作を行なうときに、前記子画面上の入力位置情報に基づき、前記出力領域の前記子画面と対応する位置に前記入力操作に沿って出力するように制御することを特徴とするものである。
【００１２】
また、本発明は、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置を動作させる入力表示プログラムであって、コンピュータにより、前記表示画面において描画入力を受付ける入力領域の入力基準点を特定する機能と、前記表示画面において出力を行なう出力領域の出力基準点を特定する機能と、前記入力基準点と前記出力基準点との位置の差分に応じて、前記入力位置情報に基づき、出力位置を特定して出力する機能と、を実行させることを特徴とするものである。
【００１３】
また、本発明は、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置を動作させる入力表示プログラムであって、コンピュータにより、前記表示画面において出力を行なう出力領域として特定する範囲を指定する機能と、前記出力領域に対応する領域を子画面として表示する機能と、前記子画面を入力領域として前記入力領域における入力位置に対応して前記出力領域における出力位置を特定する機能と、前記子画面上で描画入力操作を行なうときに、前記子画面上の入力位置情報に基づき、前記出力領域の前記子画面と対応する位置に前記入力装置に沿って出力するように制御する機能と、を実行させることを特徴とするものである。
【発明の効果】
【００１４】
本発明の入力表示装置によれば、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、前記表示制御部の構成として、前記表示画面において描画入力を受付ける入力領域の入力基準点を特定する入力基準点特定部と、前記表示画面において出力を行なう出力領域の出力基準点を特定する出力基準点特定部と、前記入力基準点と前記出力基準点との位置の差分に応じて、前記入力位置情報に基づき、出力位置を特定して出力する出力位置特定部と、を備えることで、簡単な操作で、利用者により描画したものが隠れることなく、描画しながら説明したり、描画する過程を表示したりすることができる入力表示装置を実現することができる。
【００１５】
また、本発明の入力表示装置によれば、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、前記表示制御部の構成として、前記表示画面において描画を行なう出力領域として特定する範囲を指定する出力領域特定部と、前記出力領域に対応する領域を子画面として表示する子画面表示部と、前記子画面を入力領域として、前記入力領域における入力位置に対応して前記出力領域における出力位置を特定する子画面対応出力位置特定部と、を備え、前記子画面上で描画入力操作を行なうときに、前記子画面上の入力位置情報に基づき、前記出力領域の前記子画面と対応する位置に前記入力操作に沿って出力するように制御することで、簡単な操作で、利用者により描画したものが隠れることなく、描画しながら説明したり、描画する過程を表示したりすることができる入力表示装置を実現することができる。
【００１６】
また、本発明の入力表示方法によれば、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置の入力表示方法であって、前記表示画面において描画入力を受付ける入力領域の入力基準点を特定し、前記表示画面において描画を行なう出力領域の出力基準点を特定し、前記入力基準点と前記出力基準点との位置の差分に応じて、前記入力位置情報に基づき、出力位置を特定して描画することで、簡単な操作で、利用者により描画したものが隠れることなく、描画しながら説明したり、描画する過程を表示したりすることができる。
【００１７】
また、本発明の入力表示方法によれば、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置の入力表示方法であって、前記表示画面において描画を行なう出力領域として特定する範囲を指定し、前記出力領域に対応する領域を子画面として表示し、前記子画面を入力領域として、前記入力領域における入力位置に対応して前記出力領域における出力位置を特定し、前記子画面上で描画入力操作を行なうときに、前記子画面上の入力位置情報に基づき、前記出力領域の前記子画面と対応する位置に前記入力操作に沿って出力するように制御することで、簡単な操作で、利用者により描画したものが隠れることなく、描画しながら説明したり、描画する過程を表示したりすることができる。
【００１８】
また、本発明の入力表示プログラムによれば、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置を動作させる入力表示プログラムであって、コンピュータにより、前記表示画面において描画入力を受付ける入力領域の入力基準点を特定する機能と、前記表示画面において出力を行なう出力領域の出力基準点を特定する機能と、前記入力基準点と前記出力基準点との位置の差分に応じて、前記入力位置情報に基づき、出力位置を特定して出力する機能と、を実行させることで、簡単な操作で、利用者により描画したものが隠れることなく、描画しながら説明したり、描画する過程を表示したりすることができる入力表示プログラムを提供することができる。
【００１９】
また、本発明の入力表示プログラムによれば、描画を表示する表示画面を有する表示部と、前記表示画面に重ねて設けられてタッチ入力位置を検出するタッチ入力検出部と、検出された前記タッチ入力位置の情報に基づき前記描画を表示する表示制御部と、を備え、当該表示部の表示画面に描画入力可能な入力表示装置を動作させる入力表示プログラムであって、コンピュータにより、前記表示画面において出力を行なう出力領域として特定する範囲を指定する機能と、前記出力領域に対応する領域を子画面として表示する機能と、前記子画面を入力領域として前記入力領域における入力位置に対応して前記出力領域における出力位置を特定する機能と、前記子画面上で描画入力操作を行なうときに、前記子画面上の入力位置情報に基づき、前記出力領域の前記子画面と対応する位置に前記入力装置に沿って出力するように制御する機能と、を実行させることで、簡単な操作で、利用者により描画したものが隠れることなく、描画しながら説明したり、描画する過程を表示したりすることができる入力表示プログラムを提供することができる。
【図面の簡単な説明】
【００２０】
【図１】第１実施形態に係る入力表示装置の構成を示すブロック図である。
【図２】前記入力表示装置の表示画面における入力位置と出力位置を説明する概念図である。
【図３】（ａ），（ｂ），（ｃ）は前記入力表示装置による曲線を入力する一例を示す説明図である。
【図４】（ａ），（ｂ），（ｃ）は前記入力表示装置による直線を入力する一例を示す説明図である。
【図５】前記入力表示装置において描画モードにおける出力表示処理の一例を示すフローチャートである。
【図６】前記入力表示装置において直線モードにおける出力表示処理の一例を示すフローチャートである。
【図７】第２実施形態に係る入力表示装置において表示画面に入力固定モードを表示した状態を示す説明図である。
【図８】第３実施形態に係る入力表示装置の構成を示すブロック図である。
【図９】（ａ），（ｂ），（ｃ）は第３実施形態に係る入力表示装置の表示画面において入力領域を特定する一例を示す説明図である。
【図１０】前記入力表示装置において表示画面に子画面を設定する処理のフローチャートである。
【図１１】前記入力表示装置において表示した子画面を移動する一例を示す説明図である。
【図１２】前記子画面を拡大／縮小する操作の一例を示す説明図である。
【図１３】前記子画面に入力するときの描画軌跡を表示する一例を示す説明図である。
【図１４】第４実施形態に係る入力表示装置の構成を示すブロック図である。
【図１５】前記入力表示装置による曲線を入力するときに描画軌跡を表示する一例を示す説明図である。
【図１６】前記入力表示装置による直線を入力するときに描画軌跡を表示する一例を示す説明図である。
【図１７】第５実施形態に係る入力表示装置において表示画面の出力領域の一部を拡大表示する一例を示す説明図である。
【図１８】（ａ），（ｂ），（ｃ）は第６実施形態に係る入力表示装置の表示画面において入力基準点及び出力基準点に特定のマークを表示する一例を示す説明図である。
【図１９】前記入力表示装置において描画モードにおける出力表示処理の一例を示すフローチャートである。
【図２０】前記入力表示装置において表示される出力基準点を示す表示マークの変形例１（吹き出し表示）を示す説明図である。
【図２１】前記表示マークの変形例２（ペンアイコン）を示す説明図である。
【図２２】第７実施形態に係る入力表示装置における描画入力に対応した描画出力の一例を示す説明図である。
【図２３】従来の入力表示装置における描画入力の一例を示す説明図である。
【発明を実施するための形態】
【００２１】
（第１実施形態）
以下、本発明の第１実施形態について図面を参照して説明する。
図１は発明を実施する形態の一例であって、本発明の第１実施形態に係る入力表示装置の構成を示すブロック図、図２は前記入力表示装置の表示画面における入力位置と出力位置を説明する概念図、図３（ａ），（ｂ），（ｃ）は前記入力表示装置による曲線を入力する一例を示す説明図、図４（ａ），（ｂ），（ｃ）は前記入力表示装置による直線を入力する一例を示す説明図である。
【００２２】
（入力表示装置の構成）
第１実施形態に係る入力表示装置１は、図１，図２に示すように、表示部２の表示画面２１に描画入力可能な入力表示装置において、ユーザＰが表示画面２１に描画入力した図形等の入力情報を、他の視聴者が見やすい位置で出力するようにしたことを特徴とするものである。
【００２３】
入力表示装置１は、図１に示すように、主に、表示部２と、表示部２の表示画面２１に設けられるタッチパネル３と、入力検出部（タッチパネル入力検出部）４と、検出された入力位置情報に基づき表示する表示制御部５と、を備え、さらに、時間測定部６と、タッチ情報検出部７と、記憶部８と、制御部９とを備えて構成されている。
【００２４】
表示部２は、バックライトを備えた液晶、EL等にて構成されており、図形や線、文字等を表示する。
タッチパネル３は、ユーザＰからの入力を取り込むための装置であって、同時に複数点の入力を取得することが可能であり、表示部２と一体的に構成されている。
【００２５】
入力検出部４は、タッチパネル３に対する入力を検出する。
そして、入力検出部４は、位置検出部４１と、接触検出部４２と、接触数検出部４３と、ジェスチャー検出部４４とを備えている。
【００２６】
位置検出部４１は、タッチパネル３に対して入力された位置（位置座標）を取得する。
接触検出部４２は、タッチパネル３に対する入力の有無を検出する。
接触数検出部４３は、タッチパネル３に対して現在入力されている接触数を検出する。
ジェスチャー検出部４４は、タッチの入力パターンよりジェスチャー操作を検出する。
【００２７】
時間測定部６は、タッチパネル３に対する入力、解除時間を測定する。
タッチ情報検出部７は、裏面操作モード時に裏面に対してタッチ情報を出力する。
【００２８】
制御部９は、図示していないプログラムに従い装置全体の制御を行う。
表示制御部５は、表示部２に入力された情報を表示するように制御を行なう。
【００２９】
第１実施形態では、表示制御部５は、図２に示すように、表示画面２１において入力（描画入力）を行なう入力領域２１１の入力基準点２１ａ１を特定する機能と、表示画面２１において出力を行なう出力領域２１２の出力基準点２１ｂ１を特定する機能と、入力基準点２１ａ１と出力基準点２１ｂ１との位置の差分に応じて、前記入力位置情報に基づき、出力位置を特定して出力する機能と、を備えることを特徴としている。
【００３０】
なお、第１実施形態では、入力領域２１１と出力領域２１２は表示画面２１においては領域の位置情報を共通として、表示画面２１は、入力時には入力領域となり、出力時には出力領域となる。
【００３１】
ここで、入力表示装置１の表示画面２１における入力位置と出力位置について、図面を参照して説明する。
【００３２】
入力表示装置１の表示画面２１における位置情報を座標で示すと、例えば、図２に示すように、矩形状の表示画面２１の各角部Ｐ０，Ｐ１，Ｐ２，Ｐ３を、それぞれＰ０（０，０）、Ｐ１（Ｘｎ，０）、Ｐ２（０，Ｙｎ）、Ｐ３（Ｘｎ，Ｙｎ）とし、入力位置の基準となる入力基準点２１ａ１を、２１ａ１（Ｘｉ１，Ｙｉ１）、出力位置の基準となる出力基準点２１ｂ１を、２１ｂ１（Ｘｏ１，Ｙｏ１）とする。そして、入力が終了する入力終了点２１ａ２を、２１ａ２（Ｘｉ２，Ｙｉ２）、出力が終了する出力終了点２１ｂを、２１ｂ２（Ｘｏ２，Ｙｏ２）とする。
【００３３】
表示画面２１における入力基準点２１ａ１と出力基準点２１ｂ１との位置の差分は、Ｘ方向で、ΔＸ＝｜Ｘｏ１−Ｘｉ１｜となり、Ｙ方向で、ΔＹ＝｜Ｙｏ１−Ｙｉ１｜となる。
【００３４】
表示制御部５は、図１に示すように、主に、図形描画部５１と、アイコン表示部５２と、位置決定部５３と、操作領域表示部５４と、透過率設定部５５とを備え、さらに、特徴的な構成として、入力基準点特定部５１１と、出力基準点特定部５１２と、出力位置特定部５１３と、を備えている構成されている。
【００３５】
図形描画部５１は、表示する図形として、選択されたペンツールアイコン等を作成する。
アイコン表示部５２は、選択されたコマンドにより、生成されたペンツールアイコンを表示する。
位置決定部５３は、ペンツールアイコンを表示する位置を決定する。
操作領域表示部５４は、裏面を操作可能な領域を強調表示する。
透過率設定部５５は、ペンツールアイコンや描画の軌跡、操作領域等の透過率をモードに応じて設定する。例えば、描画の軌跡を見やすいように表示する場合は、透過率を小さくして描画の軌跡が見えるように設定する。
【００３６】
入力基準点特定部５１１は、描画入力を行なう入力領域２１１の入力基準点２１ａ１を特定する。
出力基準点特定部５１２は、出力を行なう出力領域２１２の出力基準点２１ｂ１を特定する。
出力位置特定部５１３は、入力基準点２１ａ１と出力基準点２１ｂ１との位置の差分に応じて、前記入力位置情報に基づき、出力位置を特定して出力する。
【００３７】
記憶部８は、タッチパネル３に対する入力座標等を記憶することが可能である。
入力座標記憶部８１は、タッチパネル３に対する入力座標が記憶される。
入力情報記憶部８２は、タッチパネル３に対する入力情報が記憶される。
裏面操作情報記憶部８３は、裏画面操作における情報を記憶することが可能である。
操作モード記憶部８３１は、現在の操作モード設定を記憶することが可能である。
操作領域記憶部８３２は、裏面が操作可能な領域を記憶することが可能である。
透過率記憶部８３３は、裏面操作時の領域やオブジェクトの透過率の最大値、最小値を記憶することが可能である
ジェスチャー記憶部８４は、モード切り替えのジェスチャー操作を記憶することが可能である。
描画情報記憶部８５は、表示部２に表示する描画情報を記憶することが可能である。
【００３８】
（表示画面における出力表示）
次に、第１実施形態の入力表示装置１における、表示部２の表示画面２１で描画入力された描画および線の出力表示について、図面を参照して説明する。
【００３９】
第１実施形態では、入力表示装置１は、入力モードとして「描画モード」と「直線モード」とを備えている。描画モードは、主に、曲線は文字、図形、画像を描画する場合に用いられる。直線モードは、主に、直線的な図形を入力表示する場合に用いられる。
【００４０】
入力表示装置１の表示部２の表示画面２１には、図３（ａ）〜（ｃ）、図４（ａ）〜（ｃ）に示すように、入力モードを描画モードに設定する描画モードスイッチ２２ａと、直線モードに設定する直線モードスイッチ２２ｂが表示されている。
【００４１】
（描画モード）
入力表示装置１において、曲線を表示画面２１上に入力して表示する場合は、図３（ａ）に示すように、表示画面２１上の描画モードスイッチ２２ａをタッチして、描画モードに設定する。
【００４２】
そして、図３（ａ）に示すように、表示画面２１上に描画入力した曲線を表示するための出力基準点（出力基準位置）２１ｂ１を、表示画面２１上のユーザＰが特定した位置をタッチすることで設定する。ここでは、出力基準点２１ｂ１を表示画面２１の略中央部付近に特定としている。これにより、曲線が出力される出力領域２１２は表示画面２１の中央部付近となる。
【００４３】
ユーザＰは、表示画面２１に描画入力する場合は、表示画面２１の中央部付近が視聴者側から見えるように、図３（ｂ）に示すように、入力基準点２１ａ１を表示画面２１の端寄りをタッチすることで設定して、表示画面２１の端寄りを入力領域２１１として描画を行なう。
【００４４】
そして、図３（ｃ）に示すように、ユーザＰが表示画面２１上の特定した位置をタッチした状態を維持して描画することで、入力基準点２１ａ１から入力終了点２１ａ２まで入力された描画動作に沿った位置情報が記憶されて、描画入力処理が実行される。そして、その入力位置情報に基づいて、表示画面２１上に出力基準点２１ｂ１を描画開始点として描画終了点２１ｂ２までの曲線２１ｂ３が出力表示される。
【００４５】
（直線モード）
次に、入力表示装置１において、直線を表示画面２１上に入力して表示する場合は、図４（ａ）に示すように、表示画面２１上の描画モードスイッチ２２ａをタッチして、直線モードに設定する。
【００４６】
そして、図４（ａ）に示すように、表示画面２１上に描画入力した曲線を表示するための出力基準点（出力基準位置）２１ｃ１を、表示画面２１上のユーザＰが特定した位置をタッチすることで設定する。ここでは、出力基準点２１ｃ１を表示画面２１の略中央部付近に特定としている。これにより、直線が出力される出力領域２１２は表示画面２１の中央部付近となる。
【００４７】
ユーザＰは、表示画面２１に描画入力する場合は、表示画面２１の中央部付近が視聴者側から見えるように、図４（ｂ）に示すように、入力基準点２１ａ１を表示画面２１の端寄りをタッチすることで設定して、表示画面２１の端寄りを入力領域２１１として描画を行なう。
【００４８】
そして、図４（ｃ）に示すように、ユーザＰが表示画面２１上の特定した位置をタッチした状態を維持して描画することで、入力基準点２１ａ１から入力終了点２１ａ２までの位置情報が記憶されて、描画入力処理が実行される。そして、その入力位置情報に基づいて、表示画面２１上に出力基準点２１ｃ１を描画開始点として描画終了点２１ｃ２までの直線２１ｃ３が出力表示される。
【００４９】
このように、入力表示装置１によれば、表示画面２１に曲線２１ｂ３や直線２１ｃ３を出力する場合に、ユーザＰの陰になる入力位置から描画する位置をずらして表示画面２１の中央部付近に出力表示することで、視聴者にとって見やすい状況を提供することができる。
【００５０】
（描画モードにおける出力表示）
次に、第１実施形態の入力表示装置１において、描画モードにおける表示画面２１に表示する描画を他の視聴者に対して見やすい位置に表示する表示制御の手順をフローチャートに沿って説明する。
【００５１】
図５は第１実施形態の入力表示装置において描画モードにおける出力表示処理の一例を示すフローチャートである。
【００５２】
入力表示装置１において、図５に示すように、入力モードを開始すると、描画モード用のアイコンをタッチしたか否かが判断される（ステップＳ１０１）。ステップＳ１０１において、描画モードであると判断された場合は、出力基準点がタッチ（タッチダウン操作）されたか否かが判断される（Ｓ１０３）。ステップＳ１０３において、表示画面上で出力基準点がタッチされたと判断された場合は、タッチ位置を出力基準点（Ｓｘ，Ｓｙ）として保存する(ステップＳ１０５）。
【００５３】
一方、ステップＳ１０３において、出力基準点がタッチされていない（タッチアップ操作）と判断された場合は、ユーザが描画モード用のアイコンをタッチすることで描画モードは終了する。
【００５４】
そして、入力基準点がタッチされたか否かが判断される（ステップＳ１０７）。ステップＳ１０７において、表示画面上で入力基準点がタッチされたと判断された場合は、タッチ位置を入力基準点（Ｗｘ１，Ｗｙ１）として保存する（ステップＳ１０９）。
【００５５】
一方、ステップＳ１０７において、入力基準点がタッチされていないと判断された場合は、ユーザが描画モード用のアイコンをタッチすることで描画モードは終了する。
【００５６】
そして、タッチ操作による描画入力が終了したか否かが判断される（ステップＳ１１１）。ステップＳ１１１において、描画入力が終了したと判断された場合は、ステップＳ１０３に戻る。
【００５７】
一方、ステップＳ１１１において、描画入力が終了していないと判断された場合は、現在のタッチ位置を入力終了点（Ｗｘ２，Ｗｙ２）として保存して、点（Ｓｘ＋（Ｗｘ２−Ｗｘ１），Ｓｙ＋（Ｗｙ２−Ｗｙ１））を入力する（ステップＳ１１３）。
そして、現在のタッチ位置を（Ｗｘ１，Ｗｙ１）として保存して（ステップＳ１１５）、ステップＳ１１１に戻る。
【００５８】
このようにして、入力表示装置１における表示画面２１への描画入力による入力位置情報に基づき、入力基準点とは異なる位置の出力基準点を描画開始位置として、表示画面２１に出力表示を行なうことができる。
【００５９】
（直線モードにおける出力表示）
次に、第１実施形態の入力表示装置１において、直線モードにおける表示画面２１に表示する描画を他の視聴者に対して見やすい位置に表示する表示制御の手順をフローチャートに沿って説明する。
【００６０】
図６は第１実施形態の入力表示装置において直線モードにおける出力表示処理の一例を示すフローチャートである。
【００６１】
入力表示装置１において、図６に示すように、入力モードを開始すると、直線モード用のアイコンをタッチしたか否かが判断される（ステップＳ２０１）。ステップＳ２０１において、直線モードであると判断された場合は、出力基準点がタッチされたか否かが判断される（Ｓ２０３）。ステップＳ２０３において、表示画面上で出力基準点がタッチされたと判断された場合は、タッチ位置を出力基準点（Ｓｘ，Ｓｙ）として保存する(ステップＳ２０５）。
【００６２】
一方、ステップＳ２０３において、入力基準点がタッチされていないと判断された場合は、ユーザが描画モード用のアイコンをタッチすることで描画モードは終了する。
【００６３】
そして、入力基準点がタッチされたか否かが判断される（ステップＳ２０７）。ステップＳ２０７において、表示画面上で入力基準点がタッチされたと判断された場合は、タッチ位置を入力基準点（Ｗｘ１，Ｗｙ１）として保存する（ステップＳ２０９）。
【００６４】
一方、ステップＳ２０７において、入力基準点がタッチされていないと判断された場合は、ユーザが描画モード用のアイコンをタッチすることで描画モードは終了する。
【００６５】
そして、タッチ操作による描画入力が終了したか否かが判断される（ステップＳ２１１）。ステップＳ２１１において、描画入力が終了したと判断された場合は、現在の画面に表示中の  ステップＳ２０３に戻る。
【００６６】
一方、ステップＳ２１１において、描画入力が終了していないと判断された場合は、現在のタッチ位置を入力終了点（Ｗｘ２，Ｗｙ２）として保存して、２点（Ｓｘ，Ｓｙ）、（Ｓｘ＋（Ｗｘ２−Ｗｘ１），Ｓｙ＋（Ｗｙ２−Ｗｙ１）を結ぶ直線を表示する（ステップＳ２１５）。
【００６７】
このようにして、入力表示装置１における表示画面２１への直線入力による入力位置情報に基づき、入力基準点とは異なる位置の出力基準点を描画開始位置として、表示画面２１に出力表示を行なうことができる。
【００６８】
以上のように構成したので、第１実施形態によれば、入力表示装置１において、表示制御部５の構成として、入力基準点特定部５１１と、出力基準点特定部５１２と、出力位置特定部５１３、を備えることで、簡単な操作で、ユーザＰにより表示画面２１上に描画したものが隠れることなく、表示画面２１において視聴者が見やすい位置で描画しながら説明したり、描画する過程を表示したりすることができる。
【００６９】
第１実施形態では、ユーザが表示画面２１の端寄りで描画入力を行い、入力した入力情報を表示画面２１の中央部付近に出力するようにしたので、視聴者にとって見やすい位置に描画することができる。
【００７０】
（第２実施形態）
次に、第２実施形態について図面を参照して説明する。
なお、説明の便宜上、第１実施形態と同一の機能を有する構成には、同一の番号を付して説明を省略する。
【００７１】
図７は第２実施形態に係る入力表示装置において表示画面に入力固定モードを表示した状態を示す説明図である。
【００７２】
第２実施形態に係る入力表示装置１は、第１実施形態の構成に加えて、入力モードとして、描画入力時にタッチ状態が一時的に離れても入力操作を維持するようにした「入力固定モード」を備えたことを特徴とするものである。
【００７３】
第２実施形態に係る入力表示装置２０１は、表示制御部５のアイコン表示部５２の機能として、図７に示すように、表示画面２１上に描画モードスイッチ２２ａ、直線モードスイッチ２２ｂに加えて、入力固定モード用の固定モードスイッチ２２ｃを表示するようにしている。
【００７４】
ユーザＰは、入力モードを設定する際に、例えば、描画モードにより連続的に入力位置情報を入力するときには、描画モードスイッチ２２ａをタッチして描画モードを選択し、固定モードスイッチ２２ｃをタッチして、描画入力を行なう。
【００７５】
このように、構成することで、描画入力中に一時的にタッチ操作が離れても、描画入力が終了したと判断されることなく、継続して描画入力を行なうことができる。
【００７６】
以上のように構成したので、第２実施形態によれば、入力表示装置２０１において、入力モードに描画モードと直線モードを設置するスイッチに加えて、入力操作を行なっている状態を維持する固定モードスイッチ２２ｃを備えることで、曲線の入力や文字入力等を行なう際に、描画入力を安定して行うことができる。
【００７７】
（第３実施形態）
次に、第３実施形態について図面を参照して説明する。
なお、説明の便宜上、第１実施形態と同一の機能を有する構成には、同一の番号を付して説明を省略する。
【００７８】
図８は第３実施形態に係る入力表示装置の構成を示すブロック図、図９（ａ），（ｂ），（ｃ）は第３実施形態に係る入力表示装置の表示画面において入力領域を特定する一例を示す説明図である。
【００７９】
第３実施形態に係る入力表示装置３０１は、図８に示すように、表示制御部３０５の構成として、１実施形態の構成に加えて、出力領域特定部３５１４と、子画面表示部３５１５と、子画面対応出力位置特定部３５１６と、を備えて、子画面上で入力操作（描画入力）を行なうときに、子画面上の入力位置情報に基づき、出力領域の前記子画面と対応する位置にその入力操作に沿って出力（描画出力）するように制御することを特徴とするものである。
【００８０】
出力領域特定部３５１４は、表示画面２１において出力を行なう出力領域を特定する。
子画面表示部３５１５は、出力領域に対応する領域を子画面として形成して表示する。
子画面対応出力位置特定部３５１６は、子画面における入力位置情報に対応して、出力領域における出力位置情報を特定する。
【００８１】
また、第３実施形態に係る入力表示装置３０１は、表示制御部３０５のアイコン表示３５２の機能として、図９（ａ），（ｂ），（ｃ）に示すように、表示画面２１上に描画モードスイッチ２２ａ、直線モードスイッチ２２ｂに加えて、入力領域として子画面を設定する子画面入力モードスイッチ２２ｄを表示するようにしている。
【００８２】
（子画面による入力領域の設定）
次に、第３実施形態の入力表示装置３０１において、子画面による入力領域を設定する場合について、図面を参照して説明する。
【００８３】
入力表示装置３０１において、子画面による入力領域を設定する場合は、図９（ａ）に示すように、入力モードを子画面による入力モードに設定して、図９（ｂ）に示すように、入力された描画情報を出力表示する出力領域３２１２を特定する。
【００８４】
表示画面２１において出力領域３２１２が特定されると、図９（ｃ）に示すように、出力領域３２１２に対応した子画面３２１１が表示される。子画面３２１１は、その入力領域における入力位置情報が出力領域３２１２における出力位置情報と対応するようにされている。
【００８５】
（子画面の設定）
次に、入力表示装置３０１において、子画面を設定する処理についてフローチャートに沿って説明する。
図１０は第３実施形態に係る入力表示装置において表示画面に子画面を設定する処理のフローチャートである。
【００８６】
入力表示装置３０１において、表示画面２１上に描画入力を行なうための子画面を設定する場合は、図１０に示すように、入力モードを開始すると、子画面入力モード用のアイコンをタッチしたか否かが判断される（ステップＳ３０１）。ステップＳ３０１において子画面入力モードであると判断された場合は、子画面に対応する出力領域が設定されたか否かが判断される（Ｓ３０３）。出力領域の設定は、出力領域となる領域の対角位置をタッチすることで領域が設定される。
【００８７】
ステップＳ３０３において、出力領域が設定されたと判断された場合は、予め設定されている所定位置に子画面が表示される（ステップＳ３０５）。
このようにして、表示画面２１上に入力領域となる子画面が表示される。
【００８８】
以下に、第３実施形態に係る入力表示装置３０１の表示制御部５によるその他の機能について図面を参照して説明する。
図１１は第３実施形態に係る入力表示装置において表示した子画面を移動する一例を示す説明図、図１２は前記子画面を拡大／縮小する操作の一例を示す説明図、図１３は前記子画面に入力するときの描画軌跡を表示する一例を示す説明図である。
【００８９】
入力表示装置３０１の表示画面２１上に表示される子画面３２１１は、図１１に示すように、ユーザＰのドラッグ操作によりユーザの所望の位置に移動可能にしてもよい。
【００９０】
また、図１２に示すように、子画面３２１１をタッチ操作により拡大／縮小できるようにしてもよい。
【００９１】
また、図１３に示すように、子画面３２１１上で入力された入力情報を、出力領域に出力画像３２１ｂを描画出力するとともに、子画面３２１１においても入力操作に沿って描画軌跡３２１ａを表示するようにしてもよい。
【００９２】
以上のように構成したので、第３実施形態によれば、入力表示装置３０１において、表示制御部３０５の構成として、１実施形態の構成に加えて、出力領域特定部３５１４と、子画面表示部３５１５と、子画面対応出力位置特定部３５１６と、を備えて子画面３２１１上で入力を行なうことで、子画面３２１１上の入力位置情報に基づき、出力領域の前記子画面と対応する位置に出力するようにしたので、描画入力するユーザにとって、入力位置と出力位置との関係が明確にたるため、描画入力が行ない易くなる。
【００９３】
（第４実施形態）
次に、第４実施形態について図面を参照して説明する。
なお、説明の便宜上、第１実施形態と同一の機能を有する構成には、同一の番号を付して説明を省略する。
【００９４】
図１４は第４実施形態に係る入力表示装置の構成を示すブロック図、図１５は前記入力表示装置による曲線を入力するときに描画軌跡を表示する一例を示す説明図、図１６は前記入力表示装置による直線を入力するときに描画軌跡を表示する一例を示す説明図である。
【００９５】
第４実施形態に係る入力表示装置４０１は、図１４に示すように、表示制御部４０５の構成として、１実施形態の構成に加えて、軌跡表示部５６を備えて、描画入力時に、出力領域に描画出力を行うとともに、入力領域に描画入力の軌跡を一時的に表示することを特徴とするものである。
【００９６】
軌跡表示部５６は、描画入力を行なうときに、手書き入力された入力情報に基づき、描画の軌跡を一時的に表示する。
【００９７】
次に、第４実施形態の入力表示装置４０１において、表示画面２１で描画入力されるときの描画および線の出力表示について、図面を参照して説明する。
【００９８】
（描画モード）
入力表示装置４０１において、曲線を表示画面２１上に入力して表示する場合は、図１５に示すように、表示画面２１上の描画モードスイッチ２２ａをタッチして、描画モードに設定する。
【００９９】
第４実施形態では、表示画面２１上の入力領域２１１において、曲線の描画入力が行なわれることで、出力領域に曲線４２１ｂが描画出力されるとともに、入力領域２１１において、描画入力に沿って描画軌跡４２１ｄが一時的に表示される。
【０１００】
（直線モード）
入力表示装置４０１において、直線を表示画面２１上に入力して表示する場合は、図１５に示すように、表示画面２１上の描画モードスイッチ２２ａをタッチして、直線モードに設定する。
【０１０１】
第４実施形態では、直線モードにおいても、表示画面２１上の入力領域２１１において、直線の描画入力が行なわれることで、出力領域に直線４２１ｃが描画出力されるとともに、入力領域２１１において、描画入力に沿って描画軌跡４２１ｅが一時的に表示される。
【０１０２】
このように、入力表示装置４０１によれば、表示画面２１に曲線４２１ｂや直線４２１ｃを出力する場合に、軌跡表示部５６により曲線や直線の描画軌跡４２１ｄ，４２１ｅを表示することで、ユーザＰにとってどのように描画しているかが確認できるので正確に描画を行なうことができる。また、描画軌跡は、一時的に表示した後に消去することで、表示画面２１をクリアな状態にできる。
【０１０３】
また、描画の軌跡の表示時間の長さは、ユーザが設定可能としてもよい。これにより、例えは、連続して描画入力している時間が長い場合や短い場合に応じて、最適な描画軌跡の表示時間を設定できる。また、設定した描画モードは直線モードが終了したときに、描画軌跡を消去するようにしてもよい。
【０１０４】
（第５実施形態）
次に、第５実施形態について図面を参照して説明する。
なお、説明の便宜上、第１実施形態と同一の機能を有する構成には、同一の番号を付して説明を省略する。
【０１０５】
図１７は第５実施形態に係る入力表示装置において表示画面の出力領域の一部を拡大表示する一例を示す説明図である。
【０１０６】
第５実施形態に係る入力表示装置５０１は、第１実施形態の構成に加えて、表示制御部５の機能として、出力領域の出力基準点を特定して入力操作が開始されたとき、表示画面に出力基準点周辺の領域を拡大して表示する拡大表示領域を表示することを特徴とするものである。
【０１０７】
入力表示装置５０１においては、図１７に示すように、例えば、出力領域２１２の曲線の出力基準点２１ｂ１を特定した付近の特定領域５２３を特定して、表示画面２１の一部に入力操作が開始されたとき、表示画面２１の入力領域２１１と反対側の端に拡大表示領域５２３ａを表示されている。
【０１０８】
以上のように構成したので、第５実施形態によれば、入力表示装置５０１において、表示制御部５の構成として、１実施形態の構成に加えて、表示画面２１に出力基準点２１ｂ１周辺の特定領域５２３を拡大して表示する拡大表示領域５２３ａを表示することで、ユーザＰに対してどこに描画しているかが確認し易くなる。
【０１０９】
（第６実施形態）
次に、第６実施形態について図面を参照して説明する。
なお、説明の便宜上、第１実施形態と同一の機能を有する構成には、同一の番号を付して説明を省略する。
【０１１０】
図１８（ａ），（ｂ），（ｃ）は第６実施形態に係る入力表示装置の表示画面において入力基準点及び出力基準点に特定のマークを表示する一例を示す説明図、図１９は第６実施形態の入力表示装置において描画モードにおける出力表示処理の一例を示すフローチャートである。
【０１１１】
第６実施形態に係る入力表示装置６０１は、図１８（ａ），（ｂ），（ｃ）に示すように、出力基準点２１ｂ１と入力基準点２１ａ１とに、それぞれ異なる特定の表示マーク（特定表示）を表示することで、入力領域２１１における入力位置や、出力領域２１２における表示位置を明確にするようにしたことを特徴としている。
【０１１２】
第６実施形態では、図形描画部５１により、出力基準点２１ｂ１と入力基準点２１ａ１に対応する特定の表示マークを生成する。そして、位置決定部５３により、出力基準点２１ｂ１と入力基準点２１ａ１に対応する特定の表示マークを表示する位置を決定する。
【０１１３】
第６実施形態では、入力表示装置６０１において、図１８（ｂ）に示すように、出力基準点２１ｂ１には特定の表示マークとして赤丸６２１ｂを付し、入力基準点２１ａ１には出力基準点２１ｂ１とは異なる表示マーク（ここでは、「青丸」を表示するものとする。）６２１ａを付している。
【０１１４】
出力基準点２１ｂ１の赤丸６２１ｂは、図１８（ｃ）に示すように、入力領域２１１において描画入力が実行されると、出力領域２１２において描画されるに連れて移動して、描画された最後に位置に表示される。一方、入力基準点２１ａ１の青丸６２１ａは、図１８（ｃ）に示すように、入力領域２１１において描画入力が実行されても、入力基準点２１ａ１の位置に表示されたまま移動しない。
【０１１５】
すなわち、出力基準点２１ｂ１を示す赤丸６２１ｂが、描画が実行されるに連れて描画の最後の位置に表示されるので、視聴者は、描画が行なわれる経過や状態を確認しやすくなっている。一方、入力基準点２１ａ１を示す青丸６２１ａは、描画入力が実行されても、入力基準点２１ａ１の位置に表示されているので、ユーザＰがどの地点から描画を開始したのかを容易に確認することができる。
【０１１６】
（描画モードにおける出力表示）
次に、第６実施形態の入力表示装置６０１において、描画モードにおける曲線の描画入力を表示画面２１に表示する表示制御の手順をフローチャートに沿って説明する。
【０１１７】
第６実施形態に係る入力表示装置６０１における描画入力の表示制御は、第１実施形態の入力表示装置１の描画入力の表示制御と同様に行なわれ、出力基準点の位置を示す赤丸６２１ｂの表示制御と、入力基準点の位置を示す青丸６２１ａの表示制御が追加されたものである。
【０１１８】
入力表示装置１において、図１９に示すように、入力モードを開始すると、描画モード用のアイコンをタッチしたか否かが判断される（ステップＳ１０１）。ステップＳ１０１において、描画モードであると判断された場合は、出力基準点がタッチされたか否かが判断される（Ｓ１０３）。ステップＳ１０３において、表示画面上で出力基準点がタッチされたと判断された場合は、タッチ位置を出力基準点（Ｓｘ，Ｓｙ）として保存する(ステップＳ１０５）。そして、出力基準点（Ｓｘ，Ｓｙ）と同地点に赤丸を表示する（ステップＳ６０１）。
【０１１９】
一方、ステップＳ１０３において、出力基準点がタッチされていないと判断された場合は、ユーザが描画モード用のアイコンをタッチすることで描画モードは終了する。
【０１２０】
そして、入力基準点がタッチされたか否かが判断される（ステップＳ１０７）。ステップＳ１０７において、表示画面上で入力基準点がタッチされたと判断された場合は、タッチ位置を入力基準点（Ｗｘ１，Ｗｙ１）として保存する（ステップＳ１０９）。そして、入力基準点（Ｗｘ１，Ｗｙ１）と同地点に青丸を表示する（ステップＳ６０２）。
【０１２１】
一方、ステップＳ１０７において、入力基準点がタッチされていないと判断された場合は、ユーザが描画モード用のアイコンをタッチすることで描画モードは終了する。
【０１２２】
そして、タッチ操作による描画入力が終了したか否かが判断される（ステップＳ１１１）。ステップＳ１１１において、描画入力が終了したと判断された場合は、ステップＳ１０３に戻る。
【０１２３】
一方、ステップＳ１１１において、描画入力が終了していないと判断された場合は、現在のタッチ位置を入力終了点（Ｗｘ２，Ｗｙ２）として保存して、点（Ｓｘ＋（Ｗｘ２−Ｗｘ１），Ｓｙ＋（Ｗｙ２−Ｗｙ１）を入力する（ステップＳ１１３）。
そして、現在のタッチ位置を（Ｗｘ１，Ｗｙ１）として保存して（ステップＳ１１５）、線を表示した点を（Ｓｘ，Ｓｙ）として保存し、その点に赤丸を移動する（ステップＳ６０３）。そして、ステップＳ１１３に戻る。
【０１２４】
このようにして、入力表示装置１における表示画面２１への描画入力による入力位置情報に基づき、入力基準点とは異なる位置の出力基準点を描画開始位置として、表示画面２１に出力表示を行なうことができる。
【０１２５】
なお、直線モードにおいても、同様に、出力基準点と入力基準点とに、それぞれ異なる特定の表示マークを表示することができる。
【０１２６】
以上のように構成したので、第６実施形態によれば、入力表示装置６０１において、出力基準点２１ｂ１と入力基準点２１ａ１とに、それぞれ異なる特定の表示マーク（赤丸、青丸）を表示することで、入力領域２１１における入力位置や、出力領域２１２における表示位置を明確にして、ユーザＰや視聴者にとって確認し易くできる。
【０１２７】
なお、第６実施形態では、出力基準点に表示される赤丸６２１ｂは、出力領域２１２において描画出力されるに連れて最後の位置に沿って移動するようにしているが、出力基準点に第１の赤丸を表示した状態で、描画出力されるに連れて移動する第２の赤丸を表示するようにしてもよい。また、入力基準点に表示される青丸６２１ａも同様に、入力基準点に第１の青丸を表示した状態で、描画入力するに連れて移動する第２の青丸を表示するようにしてもよい。
【０１２８】
また、第６実施形態では、基準点を示す表示マークに赤丸、青丸を使用しているが、表示マークをこれに限定されない。
【０１２９】
以下に、変形例を示す。
図２０は第６実施形態に係る入力表示装置において表示される出力基準点を示す表示マークの変形例１（吹き出し表示）を示す説明図、図２１は前記表示マークの変形例２（ペンアイコン）を示す説明図である。
【０１３０】
第６実施形態の変形例１は、図２０に示すように、出力基準点を示す表示マークとして吹き出し表示６２１ｃを使用したものである。このように、出力基準点に吹き出し表示６２１ｃを表示することで、表示基準点の位置が明確になる。
【０１３１】
第６実施形態の変形例２は、図２１に示すように、出力基準点を示す表示マークとしてペンアイコン６２１ｄを使用したものである。このように、出力基準点にペンアイコン６２１ｄを表示することで、出力描画が行なわれる位置が明確になる。
【０１３２】
さらに、変形例として、描画中の線の色を既に表示されている線と異なる色で表示するようにしてもよい。
【０１３３】
（第７実施形態）
次に、第７実施形態について図面を参照して説明する。
なお、説明の便宜上、第１実施形態と同一の機能を有する構成には、同一の番号を付して説明を省略する。
【０１３４】
図２２は第７実施形態に係る入力表示装置における描画入力に対応した描画出力の一例を示す説明図である。
【０１３５】
第７実施形態に係る入力表示装置７０１は、第１実施形態の構成に加えて、入力領域２１１において描画入力されるものと出力領域２１２において描画出力されるものとで、大きさを変えるようにしたことを特徴とするものである。
【０１３６】
第７実施形態では、表示制御部５の機能として、出力領域２１２に出力される描画情報を入力位置情報に基づく描画情報に対して特定された倍率（等倍を含む）に設定する機能を備えることを特徴としている。
【０１３７】
ここでは、入力表示装置７０１は、図２２に示すように、入力領域２１１で入力される描画軌跡７２１ｄの大きさに対して、出力領域２１２で出力される曲線７２１ｂの大きさが２倍となるように設定されている。
【０１３８】
以上のように構成したので、第７実施形態によれば、入力表示装置７０１において、表示制御部５により、出力領域２１２に出力される描画情報を入力位置情報に基づく描画情報に対して特定された倍率に設定するようにしたので、例えば、大型のディスプレイで表示する際に、入力情報に対して出力される描画情報を２倍、３倍で表示することで、視聴者に対して見やすい状態を提供できる。
【０１３９】
（第８実施形態）
次に、第８実施形態について説明する。
第８実施形態に係る入力表示装置は、第１実施形態の構成に加えて、タッチペンを用いた描画入力が可能に構成され、複数のタッチペンを用いる場合は、タッチペン毎に入力基準点の属性を有するようにすることを特徴とするものである。
【０１４０】
このように構成することで、例えば、入力表示装置に、第１のタッチペンの入力基準点と第２のタッチペンの入力基準点とをそれぞれ認識させることで、第１のタッチペンと第２のタッチペンによりそれぞれ描画することが可能となる。これにより、入力基準点を認識した複数のタッチペンを使用することで、複数のユーザによる描画出力を行なうことが可能になる。
【０１４１】
（第９実施形態）
次に、第９実施形態について説明する。
第９実施形態に係る入力表示装置は、第１実施形態の構成に加えて、表示画面における出力領域を予め一又は複数設定可能とし、出力領域毎に出力基準点を特定可能とし、複数の出力領域のうち何れの出力領域において出力基準点を設定することで、出力領域が選択されて当該領域に描画することを特徴とするものである。
【０１４２】
このように構成することで、例えば、Webフォーム等や定型フォーマットのように、入力位置が決まるもの対して当該入力表示装置の表示制御機能を展開することで、簡単に利用することができるようになる。
【０１４３】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１４４】
１，２０１，３０１，４０１，５０１，６０１，７０１  入力表示装置
４  入力検出部（タッチ入力検出部）
５，３０５，４０５  表示制御部
２１  表示画面
２１ａ１  入力基準点
２１ａ２  入力終了点
２１ｂ１，２１ｃ１  出力基準点
２１ｂ２，２１ｃ２  描画終了点
２１ｂ３，４２１ｂ，７２１ｂ  曲線
２１ｃ３，４２１ｃ  直線
５６  軌跡表示部
２１１  入力領域
２１２，３２１２  出力領域
３２１ａ，４２１ｄ，４２１ｅ，７２１ｄ  描画軌跡
５１１  入力基準点特定部
５１２  出力基準点特定部
５１３  出力位置特定部
６２１ａ  青丸（特定表示）
６２１ｂ  赤丸（特定表示）
６２１ｃ  吹き出し表示（特定表示）
６２１ｄ  ペンアイコン（特定表示）
３２１１  子画面（入力領域）
３５１４  出力領域特定部
３５１５  子画面表示部
３５１６  子画面対応出力位置特定部
【図１】
2019148918.tif 000003
【図２】
2019148918.tif 000004
【図３】
2019148918.tif 000005
【図４】
2019148918.tif 000006
【図５】
2019148918.tif 000007
【図６】
2019148918.tif 000008
【図７】
2019148918.tif 000009
【図８】
2019148918.tif 000010
【図９】
2019148918.tif 000011
【図１０】
2019148918.tif 000012
【図１１】
2019148918.tif 000013
【図１２】
2019148918.tif 000014
【図１３】
2019148918.tif 000015
【図１４】
2019148918.tif 000016
【図１５】
2019148918.tif 000017
【図１６】
2019148918.tif 000018
【図１７】
2019148918.tif 000019
【図１８】
2019148918.tif 000020
【図１９】
2019148918.tif 000021
【図２０】
2019148918.tif 000022
【図２１】
2019148918.tif 000023
【図２２】
2019148918.tif 000024
【図２３】
2019148918.tif 000025